(57)【要約】【課題】  コスト高になることなく、且つユーザが認識し易い状態で給湯可能時間を表示できる貯湯式給湯装置を提供する。【解決手段】  浴室に配置される浴室用リモコンの可視表示部５３において、ユーザの切り替え操作又は貯湯ＥＣＵによる残湯量の演算結果に基づいて、時刻表示部５５における時刻表示を、この時刻表示部５５を兼用して給湯可能な残り時間を示す給湯可能時間表示に切り替える。【選択図】      図５
2006214645.tif 000002
【特許請求の範囲】
【請求項１】
浴室に配置され、ユーザに有用な有用情報を表示する有用情報表示部を有する浴室用表示手段と、
前記有用情報表示部における有用情報の表示を、前記有用情報表示部を兼用して、給湯可能な残り時間を示す給湯可能時間表示に切り替える表示切替手段とを備えたことを特徴とする貯湯式給湯装置。
【請求項２】
前記有用情報表示部は、同有用情報表示部における表示が給湯可能時間表示であるか有用情報の表示であるかを識別可能にする有用情報識別表示部を備えていることを特徴とする請求項１に記載の貯湯式給湯装置。
【請求項３】
前記有用情報は、時刻表示であり、前記表示切替手段は、前記有用情報表示部を兼用して、時刻表示を給湯可能時間表示に切り替えることを特徴とする請求項１又は請求項２に記載の貯湯式給湯装置。
【請求項４】
前記浴室用表示手段は、ユーザにより設定された浴槽への湯水の設定水位を表示する浴槽水位表示部を有し、前記表示切替手段は、前記浴槽水位表示部における設定水位の表示を、前記浴槽水位表示部を兼用して、湯水を貯湯する貯湯タンクの残湯量表示に切り替えることを特徴とする請求項１から請求項３のうちいずれか１項に記載の貯湯式給湯装置。
【請求項５】
前記浴槽水位表示部は、同浴槽水位表示部における表示が設定水位の表示であるか残湯量表示であるかを識別可能にする浴槽水位識別表示部を備えていることを特徴とする請求項４に記載の貯湯式給湯装置。
【請求項６】
前記浴室用表示手段は、ユーザにより設定された湯水の設定温度を表示する設定温度表示部を有し、前記表示切替手段は、前記設定温度表示部における設定温度表示を、前記設定温度表示部を兼用して、ユーザにより設定され浴槽に貯湯した湯水の設定保温時間のうち残りの保温時間を示す保温可能時間表示に切り替えることを特徴とする請求項１から請求項５のうちいずれか１項に記載の貯湯式給湯装置。
【請求項７】
前記設定温度表示部は、同設定温度表示部における表示が設定温度表示であるか保温可能時間表示であるかを識別可能にする設定温度識別表示部を備えていることを特徴とする請求項６に記載の貯湯式給湯装置。
【請求項８】
貯湯タンクの残湯量を検出する残湯量検出手段を備え、前記表示切替手段は、前記残湯量検出手段による検出結果に基づいて残湯量が所定量になった場合に、前記有用情報表示部を兼用して有用情報の表示を給湯可能時間表示に切り替えることを特徴とする請求項１に記載の貯湯式給湯装置。
【請求項９】
貯湯タンクの残湯量が所定量になった場合にユーザにその旨を報知する報知手段を備えたことを特徴とする請求項８に記載の貯湯式給湯装置。
【請求項１０】
前記浴室用表示手段は、貯湯タンク内の湯水の沸き増しを指示する強制沸増操作手段と、貯湯タンク内の湯水が沸増中であることを表示する沸増表示部を備えたことを特徴とする請求項１から請求項９のうちいずれか１項に記載の貯湯式給湯装置。
【請求項１１】
前記表示切替手段は、ユーザの手動操作によって浴室用表示手段における表示を切替可能に構成されていることを特徴とする請求項１から請求項１０のうちいずれか１項に記載の貯湯式給湯装置。
【請求項１２】
前記浴室用表示手段における各表示部の表示は、７セグメント及び／又は予め定められた固定キャラクタが蛍光表示管により表示される構成とされていることを特徴とする請求項１から請求項１１のうちいずれか１項に記載の貯湯式給湯装置。
【発明の詳細な説明】
【技術分野】
【０００１】
本発明は、給湯用の高温の湯を貯湯タンク内に貯える貯湯式給湯装置に関するものである。
【背景技術】
【０００２】
従来より貯湯式給湯装置においては、貯湯タンクの残湯量を貯湯タンクに設けられた温度センサの検出結果等に基づいて算出していた。そして、その残湯量を台所や浴室内などに設けられたリモコンの表示部に表示していた。この表示方法としては、残湯量をバー表示や残湯量が何リットルという湯量で表示するものが知られているが、このような表示ではユーザは具体的な使用可能時間を把握しづらい。そのため、特許文献１に開示されているように、残湯量に基づいて残りの給湯可能時間（給湯残時間）を表示するものがある。
【特許文献１】特開２００４−１４４３２７
【発明の開示】
【発明が解決しようとする課題】
【０００３】
ところで、貯湯式給湯装置においては、台所用リモコンが主となって各種設定を行えるように構成されており、浴室用リモコンは台所用リモコンと比較して操作が限定されている。このため、浴室用リモコンは台所用リモコンと異なりコストをかけずに製造できる構成であることが望まれる。
【０００４】
その一方で、浴室用リモコンの表示部は、特許文献１には示されていないが、既に時刻やユーザにより設定された浴水の設定温度等、種々の情報が表示される構成となっている。そのため、給湯可能時間を既存の表示情報に加えて新たな情報として表示させるためには、表示部を拡大することが考えられるが、この場合、浴室用リモコンも大型化することになりコスト高になるという問題が生じる。また、表示部には既に複数の情報が表示されているにも関わらず、表示部を拡大して、さらにユーザに与える情報を増やすことはユーザの誤解や混乱を招くおそれがある。
【０００５】
本発明は、上記従来技術の問題点に鑑みて成されたものであり、その目的は、コスト高になることなく、且つユーザが認識し易い状態で給湯可能時間を表示できる貯湯式給湯装置を提供することにある。
【課題を解決するための手段】
【０００６】
上記問題点を解決するために、請求項１に記載の発明は、浴室に配置され、ユーザに有用な有用情報を表示する有用情報表示部を有する浴室用表示手段と、
前記有用情報表示部における有用情報の表示を、前記有用情報表示部を兼用して、給湯可能な残り時間を示す給湯可能時間表示に切り替える表示切替手段とを備えたことを要旨とする。
【０００７】
この請求項１に記載の発明によれば、有用情報表示部を兼用して有用情報の表示を給湯可能時間表示に切り替えることで、両表示内容が同じ有用情報表示部に表示されることになり、浴室用表示手段が大型化することなくコスト高になることはない。また、両表示内容が併せて表示されないためユーザが認識し易い状態で給湯可能時間を表示できる。
【０００８】
請求項２に記載の発明は、請求項１において、前記有用情報表示部は、同有用情報表示部における表示が給湯可能時間表示であるか有用情報の表示であるかを識別可能にする有用情報識別表示部を備えていることを要旨とする。
【０００９】
この請求項２に記載の発明によれば、有用情報識別表示部により、ユーザは有用情報表示部における表示が給湯可能時間表示であるか有用情報の表示であるかを容易に判断することができ、給湯可能時間と有用情報との間でユーザに誤認が生じることはない。
【００１０】
請求項３に記載の発明は、請求項１又は請求項２において、前記有用情報は、時刻表示であり、前記表示切替手段は、前記有用情報表示部を兼用して、有用情報表示部における時刻表示を、給湯可能時間表示に切り替えることを要旨とする。
【００１１】
この請求項３に記載の発明によれば、時刻も給湯可能時間も共に時間を表すものであるため、有用情報表示部を兼用して時刻表示を給湯可能時間表示に切り替えることで、よりユーザが認識しやすい状態で給湯可能時間を表示できる。
【００１２】
請求項４に記載の発明は、請求項１から請求項３のうちいずれか１項において、前記浴室用表示手段は、ユーザにより設定された浴槽への湯水の設定水位を表示する浴槽水位表示部を有し、前記表示切替手段は、前記浴槽水位表示部における設定水位の表示を、前記浴槽水位表示部を兼用して、湯水を貯湯する貯湯タンクの残湯量表示に切り替えることを要旨とする。
【００１３】
この請求項４に記載の発明によれば、浴槽の設定水位の表示と残湯量表示が浴槽水位表示部を兼用して表示されることにより、両表示内容が併せて表示されず、コスト高にならず、ユーザが認識しやすい状態で残湯量及び浴槽の設定水位を表示できる。
【００１４】
請求項５に記載の発明は、請求項４において、前記浴槽水位表示部は、同浴槽水位表示部における表示が設定水位の表示であるか残湯量表示であるかを識別可能にする浴槽水位識別表示部を備えていることを要旨とする。
【００１５】
この請求項５に記載の発明によれば、浴槽水位識別表示部により、ユーザは浴槽水位表示部における表示が設定水位の表示であるか残湯量表示であるかを容易に判断することができ、設定水位と残湯量との間でユーザに誤認が生じることはない。
【００１６】
請求項６に記載の発明は、請求項１から請求項５のうちいずれか１項において、前記浴室用表示手段は、ユーザにより設定された湯水の設定温度を表示する設定温度表示部を有し、前記表示切替手段は、前記設定温度表示部における湯水の設定温度表示を、前記設定温度表示部を兼用して、ユーザにより設定され浴槽に貯湯した湯水の設定保温時間のうち残りの保温時間を示す保温可能時間表示に切り替えることを要旨とする。
【００１７】
請求項６に記載の発明によれば、湯水の設定温度表示と保温可能時間表示が設定温度表示部を兼用して表示されることにより、両表示内容が併せて表示されず、コスト高にならず、ユーザが認識しやすい状態で湯水の設定温度と保温可能時間を表示できる。
【００１８】
請求項７に記載の発明は、請求項６において、前記設定温度表示部は、同設定温度表示部における表示が設定温度表示であるか保温可能時間表示であるかを識別可能にする設定温度識別表示部を備えていることを要旨とする。
【００１９】
この請求項７に記載の発明によれば、設定温度識別表示部により、ユーザは設定温度表示部における表示が設定温度表示であるか保温可能時間表示であるかを容易に判断することができ、設定温度と保温可能時間との間でユーザに誤認が生じることはない。
【００２０】
請求項８に記載の発明は、請求項１において、貯湯タンクの残湯量を検出する残湯量検出手段を備え、前記表示切替手段は、前記残湯量検出手段による検出結果に基づいて残湯量が所定量になった場合に前記有用情報表示部を兼用して有用情報の表示を給湯可能時間表示に切り替えることを要旨とする。
【００２１】
請求項８に記載の発明によれば、ユーザの手を煩わせることなく表示切替が可能になり、ユーザが他の作業をしていた場合でも給湯可能時間を容易に確認することができる。
【００２２】
請求項９に記載の発明は、請求項８において、貯湯タンクの残湯量が所定量になった場合にユーザにその旨を報知する報知手段を備えたことを要旨とする。
【００２３】
請求項９に記載の発明によれば、残湯量が所定量であることをユーザに容易に知らせることができる。
【００２４】
請求項１０に記載の発明は、請求項１から請求項９のうちいずれか１項において、前記浴室用表示手段は、貯湯タンク内の湯水の沸き増しを指示する強制沸増操作手段と、貯湯タンク内の湯水が沸増中であることを表示する沸増表示部を備えたことを要旨とする。
【００２５】
請求項１１に記載の発明によれば、浴室から移動することなく湯水の沸き増しを指示できるとともにその状況が確認できるため、残湯量が少なくなっている場合でも入浴中のユーザは安心して入浴できる。
【００２６】
請求項１１に記載の発明は、請求項１から請求項１０のうちいずれか１項において、前記表示切替手段は、ユーザの手動操作によって浴室用表示手段における表示を切替可能に構成されていることを要旨とする。
【００２７】
請求項１１に記載の発明によれば、ユーザの都合によって表示内容を切り替えることができ、常に所望の表示を確認することができる。
【００２８】
請求項１２に記載の発明は、請求項１から請求項１１のうちいずれか１項において、前記浴室用表示手段における各表示部の表示は、７セグメント及び／又は予め定められた固定キャラクタが蛍光表示管により表示される構成とされていることを要旨とする。
【００２９】
請求項１２に記載の発明によれば、７セグメント及び／又は固定キャラクタを蛍光表示管により表示させる構成にすることで、例えば、ドットマトリックス表示や液晶表示にする場合と比較して単純な構成となるため、コスト低減を図ることができる。
【発明を実施するための最良の形態】
【００３０】
以下、本発明の実施の形態について図面を用いて詳細に説明する。図１は、本発明の実施形態に係る貯湯式給湯装置の概略図である。
【００３１】
貯湯式給湯装置１は、貯湯タンクユニット１１、ヒートポンプユニット１２、台所用リモートコントローラ（以下、台所用リモコンという）１３、及び浴室用表示手段としての浴室用リモートコントローラ（以下、浴室用リモコンという）１４を備えている。貯湯タンクユニット１１には、湯水を貯湯するための貯湯タンク１５が設けられており、貯湯タンクの側面には、貯湯タンク１５内の湯水の温度を検出する複数の貯湯温度センサ１６が上下方向に沿って設けられている。
【００３２】
貯湯タンク１５の上部には、貯湯タンク１５から高温水を出湯するための出湯管１７が接続されており、出湯管１７には、貯湯タンク１５の過圧を逃す過圧逃し弁１８が分岐して接続されている。貯湯タンク１５の下部には、水道水等の低温水を貯湯タンク１５に供給する給水管１９が接続されている。給水管１９には、給水管１９を流れる低温水の温度を検出する給水温度センサ２０と、給水圧を減圧する減圧弁２１が設けられている。給水管１９にはバイパス管２２が分岐して接続されており、バイパス管２２と出湯管１７の下流側にはミキシング弁２３が設けられている。このミキシング弁２３により、バイパス管２２からの低温水と出湯管１７からの高温水は混合されるようになっている。ミキシング弁２３の下流側には給湯管２４が接続されており、給湯管２４には、給湯管２４を流れる湯水の温度を検出する給湯温度センサ２５及び給湯管２４を流れる湯水の流量を検出する給湯流量センサ２６が設けられている。この給湯管２４が浴室の給湯栓２７に接続されており、この給湯栓２７から図示しないカラン又はシャワーを用いてユーザは湯水を利用するようになっている。
【００３３】
給湯管２４には、湯張り管２８が分岐して接続されており、この湯張り管２８は浴槽２９に接続されている。湯張り管２８には、湯張り管２８の開閉を行う湯張り弁３０と、湯張り管２８を流れる流量を積算する湯張り流量センサ３１が設けられている。貯湯タンク１５と浴槽２９の間には第１循環回路３２が設けられている。この第１循環回路３２に設けられた第１循環ポンプ３３により浴槽２９内の湯水は第１循環回路３２を循環するようになっている。また、第１循環回路３２には加熱部３４が設けられており、この加熱部３４は螺旋形状の蛇管により構成され、貯湯タンク１５内に配設されている。このため、浴槽２９内の湯水は第１循環回路３２を循環することにより加熱されるようになっている。さらに、貯湯タンクユニット１１には、この貯湯タンクユニット１の制御を行い、マイクロコンピュータを主に構成される貯湯ＥＣＵ３５が設けられている。図２に示すように、上記した貯湯温度センサ１６及び給水温度センサ２０は貯湯ＥＣＵ３５に電気的に接続されている。なお、他のセンサ２５，２６，３１や弁２３，３０も貯湯ＥＣＵ３５に電気的に接続されているが、本発明の要部ではないため図示は省略する。
【００３４】
ヒートポンプユニット１２には熱源となるヒートポンプ回路４１が設けられている。貯湯タンク１５とヒートポンプ回路４１は、第２循環回路４２により接続されており、貯湯タンク１５の湯水はこの第２循環回路４２を循環することにより加熱されるようになっている。
【００３５】
ヒートポンプ回路４１は、コンプレッサ４３と冷媒―水熱交換器４４と減圧器４５と空気熱交換器４６を備えている。コンプレッサ４３は二酸化炭素冷媒を圧縮する構成とされており、冷媒―水熱交換器４４はコンプレッサ４３で圧縮された高温高圧冷媒を貯湯タンク１５からの温水との間で熱交換して温水を過熱するようになっている。減圧器４５は冷媒―水熱交換器４４を通過した高圧冷媒を低圧状態に減圧し、空気熱交換器４６は、送風機４７からの送風により減圧器４５からの低圧冷媒を蒸発させるようになっている。そして、この空気熱交換器４６を通過した冷媒は、再度コンプレッサ４３により圧縮されるようになっている。
【００３６】
第２循環回路４２には、第２循環ポンプ４８が設けられている。この第２循環ポンプ４８により、貯湯タンク１５とヒートポンプ回路４１の間で湯水が循環する。そして、冷媒―水熱交換器４４で加熱された高温の温水が貯湯タンク１５の上部から流入し、貯湯タンク１５の底部から湯水が冷媒―水熱交換器４４に流入するようになっている。また、ヒートポンプユニット１２には、このヒートポンプユニット１２の制御を行い、マイクロコンピュータを主に構成されるヒートポンプＥＣＵ４９が設けられている。このヒートポンプＥＣＵ４９は貯湯タンクユニットの貯湯ＥＣＵ３５と電気的に接続されている。
【００３７】
そして、電力料金が割安な夜間時間帯になると、貯湯タンクユニット１１の貯湯ＥＣＵ３５が翌日に必要な貯湯熱量を演算し、この目標となる貯湯熱量を所定時間内に沸き上げるようヒートポンプＥＣＵ４９に指示をしてヒートポンプ回路４１を作動させる。それとともに、第２循環回路４２の第２循環ポンプ４８を駆動させる。その結果、貯湯タンク１５から流出した湯水は、第２循環回路４２を介して冷媒―水熱交換器４４に流入して過熱された後、再び貯湯タンク１５に戻されることにより高温の湯水が貯湯タンク１５に貯湯される。
【００３８】
一方、給湯栓２７からシャワー又はカランを用いて給湯する場合は、給湯栓２７を開くことにより、貯湯タンク１５では、給水管１９を介してその下部から低温水が流入し、この給水管１９からの給水圧により貯湯タンク１５上部の高温水が出湯管１７に押し出される。そして、貯湯ＥＣＵ３５により制御されるミキシング弁２３にて出湯管１７からの高温水とバイパス管２２からの低温水とが混合され、給湯管２４を介して給湯される。このときミキシング弁２３は、給湯温度センサ２５で検出する温度が台所用リモコン１３又は浴室用リモコン１４で設定された温度になるように混合する。
【００３９】
図３に示すように、浴室用リモコン１４には、第１及び第２操作部５１，５２、可視表示部５３、及び報知部５４が設けられている。
【００４０】
図４に示すように、可視表示部５３には、時刻表示部５５、給湯温度表示部５７、浴槽温度表示部５８、浴槽水位表示部５９、警告内容表示部６０、沸増表示部６１が設けられている。本実施形態では、時刻表示部５５が有用情報表示部に相当し、浴槽温度表示部５８が設定温度表示部に相当する。なお、図４は、可視表示部５３における表示内容を全て表示させた場合を示すものであり、実際の使用状態を示すものではない。
【００４１】
時刻表示部５５には、中間に「：（コロン）」を挟む４桁の７セグメント６２で、有用情報としての時刻、即ち現在の時分が表示されるようになっている。また、時刻表示部５５には、この７セグメント６２の表示に隣接して、午前、午後を示す「ＡＭ」、「ＰＭ」という文字６３と「シャワー残り」という文字６４が表示される第１識別表示部５６が設けられている。この第１識別表示部が有用情報識別表示部に相当する。
【００４２】
「ＡＭ」、「ＰＭ」という文字６３については、そのときの時刻により「ＡＭ」又は「ＰＭ」の文字６３が表示されるようになっており、時刻は１２時間表示で表されるようになっている。この時刻表示部５５では、給湯可能時間も同じ７セグメント６２を兼用して表示されるようになっている。給湯可能時間とは、給湯栓２７からの給湯可能な残り時間を示すものである。ここで、時刻も給湯可能時間も共に時間を表すものであるため、時刻表示部５５において時刻を示す７セグメント６２を給湯可能時間に兼用しても、給湯可能時間が何時間何分であるかが容易に認識できる。
【００４３】
また、「シャワー残り」という文字６４は、給湯可能時間が表示される際に、ユーザがその表示内容を時刻と誤認しないように、給湯可能時間と併せて表示されるものである。なお、以下の説明では、７セグメント６２の表示と「ＡＭ」又は「ＰＭ」の文字６３の表示を併せて時刻表示といい、７セグメント６２の表示と「シャワー残り」という文字６４の表示を併せて給湯可能時間表示という。このため、第１識別表示部５６では、時刻表示の際には、「シャワー残り」という文字６４が表示されず「ＡＭ」又は「ＰＭ」の文字６３が表示され、給湯可能時間表示の際には、「ＡＭ」又は「ＰＭ」の文字６３が表示されず「シャワー残り」という文字６４が表示されるようになっている。
【００４４】
給湯温度表示部５７には、ユーザにより設定される給湯温度が二桁の７セグメント６５で表示されるようになっている。この７セグメント６５の表示と近接して、温度の単位を示す「℃」という文字６６が表示されるようになっている。さらに、この７セグメント６５の表示と近接して、浴室用リモコン１４以外での給湯温度の変更操作が禁止されていることを示す「浴室優先」という文字６７が表示されるようになっている。
【００４５】
浴槽温度表示部５８には、ユーザにより設定され、浴槽２９に貯湯される湯水の温度（以下、浴槽温度という）が二桁の７セグメント６８で表示されるようになっている。この浴槽温度が設定温度に相当する。
【００４６】
この浴槽温度表示部５８には、保温可能時間も同じ７セグメント６８を兼用して表示されるようになっている。保温可能時間とは、ユーザにより設定された浴槽温度の保温時間（設定保温時間）のうち、その温度を保ち続ける残時間を意味し、保温は第１循環ポンプ３３が駆動され、浴槽２９の湯水が第１循環回路３２を循環することにより実現される。
【００４７】
浴槽温度表示部５８には、７セグメント６８の表示と近接して、温度の単位を示す「℃」という文字６９と時間の単位を示す「ｈ（ｈｏｕｒ）」という文字７０が表示される第２識別表示部７８が設けられている。この第２識別表示部７８が設定温度識別表示部に相当する。
【００４８】
７セグメント６８の表示の近傍には、浴槽２９の湯水が第１循環回路３２を循環していることにより保温中であることを示す「保温中」という文字７１が表示されるようになっている。なお、以下、７セグメント６８の表示と「℃」という文字６９の表示を併せて浴槽温度表示といい、７セグメント６８の表示と「ｈ」という文字７０の表示を併せて保温可能時間表示という。このため、第２識別表示部７８において、浴槽温度表示の際には「ｈ」という文字７０が表示されずに「℃」という文字６９が表示され、保温可能時間表示の際には、「℃」という文字６９が表示されずに「ｈ」という文字７０が表示されるようになっている。
【００４９】
ところで、本実施形態においては、給湯温度表示部５７の給湯温度も保温可能時間が表示可能な７セグメント６５で表示されるようになっているが、保温可能時間は、浴槽温度表示部５８に表示されるようになっている。これは、浴槽温度は入浴する浴槽２９に貯められる湯の温度であるのに対し、給湯温度は、浴室でのシャワー又はカラン、さらには台所での給湯で使用される湯の温度である。これらを比較した場合、浴槽温度の方がユーザに設定変更される頻度は低く、浴槽温度はユーザが常に表示を望む情報ではない。従って、浴槽温度表示部５８を兼用して浴槽温度と保温可能時間を表示することにより、ユーザが望む給湯温度を表示させつつ、浴槽温度又は保温可能時間を表示させることができる。
【００５０】
浴槽水位表示部５９には、目盛り線７２が表示されるようになっており、この目盛り線７２に沿って、浴槽２９に貯湯される湯水の水位（以下、浴槽水位という）がバー表示されるようになっている。この浴槽水位もユーザにより設定される。バー表示は、予め複数のバー７４が積層状に配設されており、そのうちの１つのバー７４が表示されることにより、浴槽水位が示される。この浴槽水位表示部５９には、貯湯タンク１５の残湯量も目盛り線７２とバー７４を兼用して表示されるようになっている。残湯量とは給湯可能な残りの容積を示す。そして、同時に複数のバー７４が積層状に表示されることにより、残湯量が認識可能になっている。
【００５１】
浴槽水位表示部５９には、第１輪郭線７３と第２輪郭線７５を表示する第３識別表示部７９が設けられている。この第３識別表示部が浴槽水位識別表示部に相当する。第１輪郭線７３は、目盛り線７２と組み合わせられて浴槽２９の形状を示すようになっている。第２輪郭線７５は、積層状に配置されたバー７４全体を囲むように表示されるようになっており、目盛り線７２と第２輪郭線７５により貯湯タンク１５の形状を示すようになっている。
【００５２】
なお、以下、１つのバー７４の表示と目盛り線７２及び第１輪郭線７３の表示とを併せて浴槽水位表示といい、複数のバー７４の表示と目盛り線７２及び第２輪郭線７５の表示とを併せて残湯量表示という。このため、第３識別表示部７９において、浴槽水位表示の際には、第２輪郭線７５が表示されずに第１輪郭線７３が表示され、残湯量表示の際には、第１輪郭線７３が表示されずに第２輪郭線７５が表示されるようになっている。
【００５３】
警告内容表示部６０には、残湯量が予め定められた基準残湯量よりも少ないことを示す「残り湯少」という文字７６が表示されるようになっている。ここで、基準残湯量とは、ユーザが残りの給湯量が少ないと感じる境界量に相当する湯量を意味する。
【００５４】
沸増表示部６１には、ヒートポンプ回路４１が作動され、第２循環ポンプ４８の駆動により必要な熱量の沸き増しが行われていることを示す「沸増」という文字７７が表示されるようになっている。
【００５５】
上記した可視表示部５３に表示される各文字６３，６４，６６，６７，６９，７０，７１，７６，７７は、予め定められた固定キャラクタとしての固定文字が蛍光表示管により表示されるものであり、７セグメント６２，６５，６８の表示及びバー７４の表示、目盛り線７２、第１及び第２輪郭線７３，７４の表示も蛍光表示管によりなされる。なお、バー７４、目盛り線７２、及び第１，第２輪郭線７３，７４も予め定められたものであるため固定キャラクタに相当する。
【００５６】
ここで、可視表示部５３をドットマトリックス型や液晶表示にする場合は、７セグメントや固定キャラクタ（固定文字、バー）を蛍光表示管により表示させる場合と比較してコスト高になるという問題が生じる。特に、浴室用リモコン１４においては、台所用リモコン１３と異なり使用されるのが入浴中又はそれに関するときのみと、使用頻度が制限されるため、台所用リモコン１３と異なり低コストで製造することが求められる。このため、７セグメント表示、バー表示、固定文字の表示が組み合わされて表示される可視表示部５３を採用することにより製造コストを抑えつつ、給湯可能時間を表示する浴室用リモコン１４を提供できる。その一方で、各表示部５５，５８，５９が兼用されて、異なる表示内容（例えば時刻表示と給湯可能時間表示）が示されるため、上記構成の可視表示部５３を採用しても浴槽用リモコン１４の大型化を招くこともない。
【００５７】
図３に示すように、第１操作部５１には、浴室優先スイッチ８１、追い炊きスイッチ８２、自動給湯スイッチ８３、通話スイッチ８４が設けられている。浴室優先スイッチ８１は、浴室用リモコン１４以外での給湯温度変更操作を禁止することを指示するためのスイッチである。追い炊きスイッチ８２は、第１循環回路３２を利用して浴槽内の湯水を過熱することを指示するためのスイッチである。自動給湯スイッチ８３は、予め設定された浴槽水位となるように湯張り管２８を介して浴槽２９に湯水を供給することを指示するためのスイッチである。浴室用リモコン１４と台所用リモコン１３とは図示しない通信手段により通話可能に構成されており、通話スイッチ８４は、台所用リモコン１３との間で通話する場合に利用されるスイッチである。
【００５８】
第２操作部５２には、選択スイッチ８５、設定内容変更スイッチ８６、確定スイッチ８７、表示切替スイッチ８８、強制沸増スイッチ８９が設けられている。本実施形態では、第２操作部５２のスイッチ群は、第１操作部５１のスイッチ群より小型に形成されているが、各スイッチの大きさは適宜変更させて構成してもよい。
【００５９】
選択スイッチ８５は、ユーザが操作したい内容を選択するためのスイッチであり、具体的には、選択スイッチ８５を繰り返し押すことで可視表示部５３における時刻表示部５５、給湯温度表示部５７、浴槽温度表示部５８、浴槽水位表示部５９のうち操作が可能になる部位が順次変遷するようになっている。
【００６０】
設定内容変更スイッチ８６は、選択スイッチ８５の操作により選択された各表示部５５，５７，５８，５９の設定内容を変更するためのスイッチである。具体的には、設定内容変更スイッチ８６を押すことで、給湯温度、浴槽温度、保温時間、時刻の数値や浴槽水位のレベルを変更する。確定スイッチ８７は、設定内容変更スイッチ８６を用いて変更された内容を確定するためのスイッチである。これらの選択スイッチ８５、設定内容変更スイッチ８６、及び確定スイッチを用いることで、上述した給湯温度、浴槽温度、保温時間、及び浴槽水位がユーザにより設定可能になっている。
【００６１】
表示切替スイッチ８８は、選択スイッチ８５の操作により選択された時刻表示部５５、浴槽水位表示部５９、又は浴槽温度表示部５８の表示内容をユーザの手動操作によって切り替えるためのスイッチである。具体的には、時刻表示部５５が選択スイッチ８５の操作で選択された場合は、表示切替スイッチ８８が押されることで時刻表示部５５が兼用されて時刻表示と給湯可能時間表示が切り替わるようになっている。また、浴槽温度表示部５８が選択スイッチ８５の操作で選択された場合は、表示切替スイッチ８８が押されることで、浴槽温度表示部５７が兼用されて浴槽温度表示と保温可能時間表示が切り替わるようになっている。また、浴槽水位表示部５９が選択スイッチ８５の操作で選択された場合は、表示切替スイッチ８８が押されることで、浴槽水位表示部５９が兼用されて浴槽水位表示と残湯量表示が切り替わるようになっている。
【００６２】
なお、本実施形態では選択スイッチ８５の操作により選択された項目を個別に表示切替スイッチ８８の操作で切り替えることとしたが、上述した３項目を一括して切り替え表示するようにしてもよい。
【００６３】
強制沸増スイッチ８９は、湯切れが予想される場合に必要な熱量の沸き増しのためにヒートポンプ回路４１及び第２循環ポンプ４８の作動を指示するためのスイッチである。
【００６４】
報知部５４には、スピーカ９０が内装されおり、このスピーカ９０からは、貯湯タンク１５の残湯量が基準残湯量を下回ったときに警告音が発せられるようになっている。なお、本実施形態では、前記可視表示部５３の警告内容表示部６０と報知部５４から報知手段は構成される。
【００６５】
図２に示すように、浴室用リモコン１４の内部には、可視表示部５３、第１及び第２操作部５１，５２、及び報知部５４を制御し、マイクロコンピュータを主に構成されるリモコン制御部９１が設けられている。この浴室用リモコン１４は、貯湯ＥＣＵ３５と電気的に接続されている。また、可視表示部５３、第１及び第２操作部５１，５２の各スイッチ８５〜８９、及び報知部５４のスピーカ９０はリモコン制御部９１に電気的に接続されている。
【００６６】
ここで、給湯可能時間の算出について説明すると、貯湯ＥＣＵ３５では、貯湯温度センサ１６からの検出温度から貯湯タンク１５内に残されている熱量、即ち残熱量を算出し、この残熱量と給水温度センサ２０からの検出温度とから所定の演算式に基づいて残湯量を算出する。この残湯量に基づいて所定の演算式を用いることにより貯湯ＥＣＵ３５では、給湯可能時間を算出する。そして、表示切替スイッチ８８からリモコン制御部９１を介して貯湯ＥＣＵ３５に時刻表示部５５の表示を切り替えることを指示する信号が入力されると、貯湯ＥＣＵ３５からリモコン制御部９１へ給湯可能時間の算出結果が制御信号として出力され、時刻表示部５５に給湯可能時間が表示されるようになっている。なお、この給湯可能時間の表示に関しては、貯湯ＥＣＵ３５から算出された給湯可能時間のデータが随時リモコン制御部を介して時刻表示部５５に出力されるようになっているため、時刻表示部５５では常に残湯量に対応した給湯可能時間が表示されるようになっている。本実施形態では、表示切替スイッチ８８及び貯湯ＥＣＵ３５から表示切替手段が構成されている。
【００６７】
ところで、貯湯ＥＣＵ３５には、基準残湯量が記憶されており、算出される残湯量と基準残湯量を比較することにより、残湯量が十分か否か判断している。なお、残湯量が十分か否かの判断は、基準残湯量に対応する残熱量に基づいて判断するようにしてもよいし、基準残湯量に対応する給湯可能時間に基づいて判断するようにしてもよい。また、本実施形態では、基準残湯量に対応する給湯可能時間は２０分とする。
【００６８】
上記判断結果により、貯湯タンク１５の残湯量が基準残湯量を下回った場合は、ユーザが表示切替スイッチ８８に触れることなく自動で時刻表示が給湯可能時間表示に切り替わるように、貯湯ＥＣＵ３５は、リモコン制御部９１を介して可視表示部５３に制御信号を出力するようになっている。なお、本実施形態においては、貯湯温度センサ１６及び給水温度センサ２０からの検出結果に基づいて残湯量が算出されるため、貯湯温度センサ１６及び給水温度センサ２０が残湯量検出手段に相当する。
【００６９】
ところで、台所用リモコン１３も浴室用リモコン１４と同様に各種設定及び各種表示がなされるように構成されているが、本発明の要部ではないため、説明は省略する。
【００７０】
次に上記のように構成された本実施形態における貯湯式給湯装置１の作用を説明する。
【００７１】
図５に示すように、通常状態においては、時刻表示部５５では時刻表示がなされ、浴槽温度表示部５８では設定された浴槽温度で浴槽温度表示がなされ、浴槽水位表示部５９では、設定された浴槽水位で浴槽水位表示がなされる。なお、本実施形態では、一例として時刻は「ＡＭ８：４０」、浴槽温度は「４２℃」、浴槽水位は満水時の略半分となる水位とされている。また、浴槽温度表示部５８においては、浴槽２９に貯湯された湯水が保温中であれば、「保温中」という文字７１が表示され、保温中でなければ「保温中」という文字７１は消される。本実施形態では、保温中であることとし、「保温中」という文字が表示されている。また、給湯温度表示部５７では設定された給湯温度の表示がなされる。本実施形態では、その一例として給湯温度は「４２℃」とされ、それとともに給湯温度表示部５７に「浴室優先」という文字６７も表示されている。
【００７２】
次にユーザが浴室において給湯可能時間を知りたいと判断した場合について図２、図３、図６に基づいて説明する。
【００７３】
この場合、可視表示部５３において時刻表示部５５が操作可能になるようユーザにより浴室用リモコン１４の第２操作部５２における選択スイッチ８５が繰り返し押される。すると、第２操作部５２からリモコン制御部９１を介して貯湯ＥＣＵ３５に選択信号が入力され、それに基づき貯湯ＥＣＵ３５から操作可能な部位を切り替えるようリモコン制御部９１を介して可視表示部５３に制御信号が出力される。その結果、操作可能な部位が時刻表示部５５になる。その後、ユーザに表示切替スイッチ８８が押されることで、第２操作部５２からリモコン制御部９１を介して貯湯ＥＣＵ３５に切替信号が入力され、それに基づき貯湯ＥＣＵ３５から表示切替を指示する制御信号がリモコン制御部９１を介して可視表示部５３に出力される。それととともに、貯湯温度センサ１６及び給水温度センサ２０の検出結果に基づいて算出された給湯可能時間のデータが可視表示部５３に出力される。その結果、時刻表示部５５では、図６に示すように、７セグメント６２の表示が時刻から給湯可能時間に切り替わる。また第１識別表示部５６では、「ＡＭ」という文字６３が消され、「シャワー残り」という文字６４が表示される。このようにして時刻表示が給湯可能表示となる。本実施形態では、一例として給湯可能時間は「３：４０」とされている。
【００７４】
このように切替操作により同じ時刻表示部５５が兼用されて、時刻表示と給湯可能時間表示がなされることにより、時刻表示と給湯可能時間表示が別々の部位で共に表示される場合と異なり、可視表示部５３が拡大することなくコストを抑えつつ給湯可能時間を表示することができる。また、時刻表示と給湯可能時間表示が同時に表示されることはないため、時刻表示と給湯可能時間表示が別々の部位で共に表示される場合と異なり、時刻と給湯可能時間との間でのユーザの誤認防止を図ることができる。さらに、時刻表示部５５において同じ７セグメント６２で時刻又は給湯可能時間が表示されていても、第１識別表示部５６において、時刻表示の際には、「シャワー残り」という文字６４が表示されず「ＡＭ」又は「ＰＭ」の文字６３が表示される一方で、給湯可能時間表示の際には、「ＡＭ」又は「ＰＭ」の文字６３が表示されず「シャワー残り」という文字６４が表示される。このため、ユーザは時刻表示部５５において明確に現在の表示内容が識別でき、更なる誤認防止を図ることができる。
【００７５】
なお、この状態で、ユーザにより再度表示切替スイッチ８８が押されると、その切替信号に基づいて、貯湯ＥＣＵ３５は、表示切替を指示する制御信号を出力し、時刻表示部５５では給湯可能時間表示が再度時刻表示に切り替わる。
【００７６】
次に、ユーザが浴室において残湯量を知りたいと判断した場合について図２、図３、図７に基づいて説明する。
【００７７】
この場合も可視表示部５３において浴槽水位表示部５９が操作可能になるようユーザにより浴室用リモコン１４の第２操作部５２における選択スイッチ８５が繰り返し押される。すると、第２操作部５２からリモコン制御部９１を介して貯湯ＥＣＵ３５に選択信号が入力され、それに基づく貯湯ＥＣＵからの制御信号がリモコン制御部９１を介して可視表示部５３に出力される。その結果、可視表示部５３において操作可能な部位が浴槽水位表示部５９になる。その後、ユーザに表示切替スイッチ８８が押されることで、第２操作部５２からリモコン制御部９１を介して貯湯ＥＣＵ３５に切替信号が入力され、それに基づき貯湯ＥＣＵ３５から表示切替を指示する制御信号がリモコン制御部９１を介して可視表示部５３に出力される。それとともに、貯湯温度センサ１６及び給水温度センサ２０の検出結果に基づいて算出された残湯量のデータが可視表示部５３に出力される。その結果、浴槽水位表示部５９の第３識別表示部７９においては、浴槽２９形状の第１輪郭線７３が消され、図７に示すように、貯湯タンク１５の形状の第２輪郭線７５が表示される。また、浴槽水位表示部５９において、１つのバー７４のみが表示されていたものが、残湯量を示すように積層状に複数のバー７４が表示される。このようにして浴槽水位表示が残湯量表示に切り替わる。
【００７８】
このように切替操作により同じ浴槽水位表示部５９が兼用されて浴槽水位表示と残湯量表示がなされることにより、浴槽水位表示と残湯量表示が別々の部位で共に表示される場合と異なり、可視表示部５３が拡大することなくコストを抑えつつ浴槽水位表示と残湯量表示をすることができる。また、浴槽水位表示と残湯量表示が同時に表示されることはないため、浴槽水位表示と残湯量表示が別々の部位で共に表示される場合と異なり、浴槽水位と残湯量との間でのユーザの誤認防止を図ることができる。
【００７９】
さらに、浴槽水位表示部５９において同じバー表示で浴槽水位又は残湯量が表示されていても、第３識別表示部７９では、浴槽水位表示の際には、第２輪郭線７５が表示されずに第１輪郭線７３が表示され、残湯量表示の際には、第１輪郭線７４が表示されずに第２輪郭線７５が表示される。このため、ユーザは浴槽水位表示部５９において明確に現在の表示内容が識別でき、更なる誤認防止を図ることができる。
【００８０】
なお、この状態で、ユーザにより再度表示切替スイッチ８８が押されると、その切替信号に基づいて、貯湯ＥＣＵ３５は、表示切替を指示する制御信号を出力し、浴槽水位表示部５９では残湯量表示が再度浴槽水位表示に切り替わる。
【００８１】
次に、ユーザが浴室において、保温可能時間を知りたいと判断した場合について図２、図３、図８に基づいて説明する。
【００８２】
この場合も、可視表示部５３において浴槽温度表示部５８が操作可能になるようにユーザにより浴室用リモコン１４の第２操作部における選択スイッチ８５が繰り返し押される。すると、第２操作部５２からリモコン制御部９１を介して貯湯ＥＣＵ３５に選択信号が入力され、それに基づく貯湯ＥＣＵからの制御信号がリモコン制御部９１を介して可視表示部５３に出力される。その結果、可視表示部５３において操作可能な部位が浴槽温度表示部５８になる。その後、ユーザに表示切替スイッチ８８が押されることで、第２操作部５２からリモコン制御部９１を介して貯湯ＥＣＵ３５に切替信号が入力され、それに基づき貯湯ＥＣＵ３５から表示切替を指示する制御信号がリモコン制御部９１を介して可視表示部５３に出力される。それとともに、ユーザにより設定された保温時間と経過時間の差により算出された保温可能時間のデータが可視表示部５３に出力される。
【００８３】
その結果、浴槽温度表示部５８の第２識別表示部７８においては、「℃」という文字６９が消され、図８に示すように、「ｈ」という文字７０が表示される。また、浴槽温度表示部５８では、７セグメント６８の表示が浴槽温度から保温可能時間に切り替わる。このようにして浴槽温度表示が保温可能時間表示となる。本実施形態では、一例として保温可能時間は「２」とされている。
【００８４】
このように切替操作により同じ浴槽温度表示部５８が兼用されて浴槽温度表示と保温可能時間表示がなされることにより、浴槽温度表示と保温可能時間表示が別々の部位で共に表示される場合と異なり、可視表示部５３が拡大することなくコストを抑えつつ浴槽温度表示と保温可能時間表示をすることができる。また、浴槽温度表示と保温可能時間表示が同時に表示されることはないため、浴槽温度表示と保温可能時間表示が別々の部位で共に表示される場合と異なり、浴槽温度と保温可能時間との間でのユーザの誤認防止を図ることができる。
【００８５】
さらに、浴槽温度表示部５８において同じ７セグメント６８で浴槽温度又は保温可能時間が表示されていても、第２識別表示部７８では、浴槽温度表示の際には「ｈ」という文字７０が表示されずに「℃」という文字６９が表示され、保温可能時間表示の際には、「℃」という文字６９が表示されずに「ｈ」という文字７０が表示される。このため、ユーザは浴槽温度表示部５８において明確に現在の表示内容が識別でき、更なる誤認防止を図ることができる。
【００８６】
なお、この状態で、ユーザにより再度表示切替スイッチ８８が押されると、その切替信号に基づいて、貯湯ＥＣＵ３５は、表示切替を指示する制御信号を出力し、浴槽温度表示部５８では保温可能時間表示が再度浴槽温度表示に切り替わる。
【００８７】
次に、残湯量が少なくなり、保温可能時間が少なくなった場合について図２、図９に基づいて説明する。
【００８８】
貯湯ＥＣＵは、貯湯温度センサ１６及び給水温度センサ２０の検出結果に基づいて算出される残湯量が基準残湯量より上か否かを常時判定している。そして、貯湯ＥＣＵ３５が貯湯タンク１５の残湯量が基準残湯量を下回ったと判断した場合は、浴室用リモコン１４のリモコン制御部９１を介して可視表示部５３に、時刻表示部５５の時刻表示を給湯可能時間表示に切り替え指示する制御信号を出力する。それとともに、貯湯可能時間のデータも出力する。さらに、この場合、貯湯ＥＣＵ３５は、リモコン制御部９１を介して可視表示部５３に、警告内容表示部６０に「残り湯少」という文字の表示を指示する制御信号を出力し、リモコン制御部９１を介して報知部５４に、警告音を発するように指示する制御信号を出力する。
【００８９】
その結果、図９に示すように、時刻表示部５５において、ユーザが表示切替スイッチ８８に触れることなく自動で時刻表示が給湯可能時間表示に切り替わる。また、警告内容表示部６０においては、「残り湯少」という文字が表示され、報知部５４のスピーカ９０からは警告音が発せられる。本実施形態においては、基準残湯量に対応する給湯可能時間は２０分としているため、自動で時刻表示が給湯可能時間表示に切り替わる場合は、時刻表示部５５において給湯可能時間が「０：２０」と表示される。
【００９０】
従って、浴室のユーザは、残湯量が少ない場合は浴室用リモコン１４を操作することなく給湯可能時間を確認できるようになるため、例えばシャワー使用中に残湯量が少なくなっても、その作業を停止することなく給湯可能時間を確認でき、残湯量を気にしながら作業する必要がなくなる。また、警告内容表示部６０の表示により残湯量が少ないことを的確にユーザに報知することができる。さらに、報知部５４から警告音が発せられるため、ユーザが浴室用リモコン１４を注視していない場合でも、残湯量少ないことを容易に知らせることができる。
【００９１】
ところで、時刻表示部５５において時刻表示から給湯可能時間表示に自動的に切り替わった場合は、ユーザにより、第２操作部５２の強制沸増スイッチ８９が押されることにより、第２操作部５２からリモコン制御部９１を介して貯湯ＥＣＵ３５に指示信号が入力される。その結果、貯湯ＥＣＵ３５は、ヒートポンプ回路４１及び第２循環ポンプ４８に作動を指示するとともに、リモコン制御部９１を介して可視表示部５３に、「沸増」という文字７７の表示を指示する制御信号を出力する。その結果、図１０に示すように可視表示部５３の沸増表示部６１には、「沸増」という文字が表示される。
【００９２】
このため、残湯量が少ない場合には、浴室から沸き増しの指示ができるため、ユーザは湯切れの心配なく、安心して入浴することができる。また、沸増表示部６１の表示により沸き増し中であることを浴室から明確に把握できる。
【００９３】
（その他の実施形態）
なお、上記実施形態は以下のように変更してもよい。
【００９４】
・上記実施形態では、時刻表示を給湯可能時間表示に切り替えたが、浴槽温度表示を給湯可能時間表示に切り替える構成にしてもよい。かかる構成にしても浴槽温度が７セグメントで表示されている限り、浴槽温度も給湯可能時間も同じように数値表示であるため、ユーザが認識しやすい形で給湯可能時間を表示する構成が実現できる。この場合、浴槽温度が有用情報に相当し、浴槽温度表示部が有用情報表示部に相当することになる。
【００９５】
また、浴槽温度表示ではなく、給湯温度表示を給湯可能時間表示に切り替える構成にしてもよい。かかる構成にしても時刻表示を浴槽温度表示に変更する場合と同様の作用効果を奏する。この場合、給湯温度が有用情報となり、給湯温度表示部が有用情報表示部となる。
【００９６】
・上記実施形態では、浴槽温度表示部５８において浴槽温度表示を保温可能時間表示に切り替えたが、給湯温度表示を保温可能時間表示に切り替える構成にしてもよい。かかる構成にしても給湯温度が７セグメント６５で表示されている限り、給湯温度も保温可能時間も同じ数値表示となるため、同様の効果を奏しつつ保温可能時間を表示することができる。この場合、給湯温度表示部５７が設定温度表示部に相当し、給湯温度が設定温度に相当することになる。
【００９７】
・上記実施形態では、時刻は１２時間表示でなされるように構成されていたが、２４時間表示でなされるように構成してもよい。
【００９８】
・上記実施形態では、報知部５４から警告音を発する構成としたが、予め定められたアナウンスが発せられる構成としてもよい。
【００９９】
また、報知部５４と可視表示部５３の警告内容報知部５４を用いて残湯量が少ない状態であることを報知する構成としたが、警告内容報知部５４のみで報知する構成にしてもよいし、報知部５４のみで報知する構成にしてもよい。この場合、報知部５４又は警告内容報知部５４の一方が報知手段となる。
【０１００】
・上記実施形態では、給湯可能時間が表示される際に、表示内容が時刻と誤認されないように第１識別表示部５６において「シャワー残り」という文字６４を表示させるようにしたが、「給湯残り」、「シャワー使用可能時間」、「給湯使用時間」等、他の文字を表示させる構成にしてもよい。また、文字の代わりに絵を表示させる態様にしてもよい。
【０１０１】
さらに、給湯可能時間が表示される際に、「シャワー残り」という文字６４と７セグメント６２との間に、「シャワー残り」という文字６４から７セグメント６２に向かって「矢印」を表示させる構成にしてもよい。このようにすれば、表示されている７セグメント６２の内容が給湯可能時間であることをより明確にすることができる。
【０１０２】
・上記実施形態では、浴槽水位表示部５９において、残湯量表示がなされる場合には浴槽２９の形状を示す第１輪郭線７３が消される構成にしたが、残湯量表示がなされる場合であっても第１輪郭線７３を表示し続ける構成にしてもよい。
【０１０３】
・上記実施形態では、残湯量が少なくなった場合には、時刻表示部５５において自動的に時刻表示から貯湯可能時間表示に切り替わり、警告内容表示部６０において、「残り湯少」という文字７６が表示される構成にしたが、図１１に示すように、さらに浴槽水位表示部５９で、浴槽水位表示から残湯量表示に切り替え、浴槽温度表示部５８の表示内容を消す構成にしてもよい。このようにすれば、残湯量が少なくなった場合には、可視表示部５３における表示内容が減少することになるため、時刻表示部５５が際立ち、給湯可能時間の認識を容易にできる。また、さらにこの浴槽水位表示部５９の表示内容も消す構成にしてもよい。なお、これらの表示及び消去は、時刻表示部５５の表示切替と同様に貯湯温度センサ１６及び給水温度センサ２０の検出結果に基づいて貯湯ＥＣＵ３５で制御されることになる。
【０１０４】
・上記実施形態では、貯湯ＥＣＵ３５が貯湯温度センサ１６及び給水温度センサ２０の検出結果に基づく演算や、可視表示部５３における切り替え表示を指示したが、リモコン制御部９１が代替する構成にしてもよい。この場合は、リモコン制御部９１及び表示切替スイッチ８８が切替表示手段に相当することになる。
【０１０５】
・上記実施形態では、７セグメントや固定キャラクタを蛍光表示管により表示させる可視表示部５３を採用したが、ドットマトリックス型の蛍光表示管よりなる可視表示部を採用してもよい。
【図面の簡単な説明】
【０１０６】
【図１】本発明の実施形態に係る貯湯式給湯装置を示す概略構成図。
【図２】同じく浴室用リモコンと貯湯ＥＣＵの電気的構成を示すブロック図。
【図３】同じく浴室用リモコンを示す正面図。
【図４】同じく浴室用リモコンの可視表示部を示す正面図。
【図５】同じく通常状態の可視表示部を示す正面図。
【図６】同じく給湯可能時間が表示された場合の可視表示部を示す正面図。
【図７】同じく残湯量がバー表示された場合の可視表示部を示す正面図。
【図８】同じく保温時間が表示された場合の可視表示部を示す正面図。
【図９】同じく残湯量が少ない時に給湯可能時間が表示された場合の可視表示部を示す正面図。
【図１０】同じく強制沸き増しがなされた場合の可視表示部を示す正面図。
【図１１】他の実施形態に係る可視表示部を示す正面図。
【符号の説明】
【０１０７】
１４  浴室用リモコン（浴室用表示手段）
１５  貯湯タンク
１６  貯湯温度センサ（残湯量検出手段）
２０  給水温度センサ（残湯量検出手段）
３５  貯湯ＥＣＵ（表示切替手段）
５４  報知部（報知手段）
５５  時刻表示部（有用情報表示部）
５６  第１識別表示部（有用情報識別表示部）
５８  浴槽温度表示部（設定温度表示部）
５９  浴槽水位表示部
６０  警告内容表示部（報知手段）
６１  沸増表示部
７８  第２識別表示部（設定温度識別表示部）
７９  第３識別表示部（浴槽水位識別表示部）
８８  表示切替スイッチ（表示切替手段）
８９  強制沸増スイッチ（強制沸増操作手段）
【図１】
2006214645.tif 000003
【図２】
2006214645.tif 000004
【図３】
2006214645.tif 000005
【図４】
2006214645.tif 000006
【図５】
2006214645.tif 000007
【図６】
2006214645.tif 000008
【図７】
2006214645.tif 000009
【図８】
2006214645.tif 000010
【図９】
2006214645.tif 000011
【図１０】
2006214645.tif 000012
【図１１】
2006214645.tif 000013